(57)【要約】【課題】本発明は、施工性、及び屋上や屋根の周辺設備の保全に優れた緑化ユニットを提供する。【解決手段】本発明の緑化ユニットＵは、緑化対象面上に設置するマット状の無土壌植栽基材１を備え、当該無土壌植栽基材１の上面に複数の貫通孔を形成した保護板材２を配設すると共に、前記無土壌植栽基材１の下面にベース板材３を配設し、スペーサ部材４を介して前記保護板材２と前記ベース板材３とを互いに所定間隔をあけて連結したものである。【選択図】図１
2009077706.tif 000002
【特許請求の範囲】
【請求項１】
緑化対象面上に設置するマット状の無土壌植栽基材を備え、当該無土壌植栽基材の上面に複数の貫通孔を形成した保護板材を配設すると共に、前記無土壌植栽基材の下面にベース板材を配設し、スペーサ部材を介して前記保護板材と前記ベース板材とを互いに所定間隔をあけて連結したことを特徴とする緑化用ユニット。
【請求項２】
前記ベース板材の上面に、複数の凹部を形成した請求項１に記載の緑化用ユニット。
【請求項３】
前記スペーサ部材は複数本の棒状部材から成り、前記保護板材に形成した複数の第一差込孔に、前記各棒状部材の一端を挿嵌すると共に、前記ベース板材に形成した複数の第二差込孔に、前記各棒状部材の他端を挿嵌して、前記保護板材と前記ベース板材とを互いに所定間隔をあけて連結した請求項１又は３に記載の緑化用ユニット。
【請求項４】
前記棒状部材が前記無土壌植栽基材を貫通するように構成した請求項３に記載の緑化用ユニット。
【請求項５】
前記棒状部材を前記保護板材と前記ベース板材のそれぞれの周縁部にのみ配設した請求項３又は４に記載の緑化用ユニット。
【請求項６】
前記保護板材の複数の貫通孔をそれぞれ六角形に形成すると共に、各貫通孔を蜂の巣状に配設した請求項１から５のいずれか１項に記載の緑化用ユニット。
【請求項７】
前記無土壌植栽基材は、スポンジ又は不織布から成る請求項１から６のいずれか１項に記載の緑化用ユニット。
【請求項８】
前記無土壌植栽基材をウレタンフォームで構成した請求項１から６のいずれか１項に記載の緑化用ユニット。
【発明の詳細な説明】
【技術分野】
【０００１】
本発明は、例えば、地面、建物の屋根、屋上等を緑化するのに用いる緑化用ユニットに関する。
【背景技術】
【０００２】
近年、都市部の気温が周辺地域の気温に比べて高くなるヒートアイランド現象が問題となっている。このヒートアイランド現象を抑制する手段として、地面や建物の屋上等の緑化がある。従来では、例えば、土壌を収容した容器やコンテナ等の緑化ユニットを屋上等に配設し、その土壌に植物を植栽して緑化を行っている（特許文献１参照）。そして、この植栽した植物の蒸散作用によって、屋上付近などの大気の温度上昇を抑制することが期待されている。
【特許文献１】特開２００５−３４１８６９号公報
【発明の開示】
【発明が解決しようとする課題】
【０００３】
しかし、上記特許文献１に示す緑化ユニットは、植栽基材として土壌を使用しているため全体の重量が重くなり、荷重制限のある屋上へ設置するには好ましいものではない。また、特に、傾斜した場所に緑化ユニットを設置すると、土壌が容器から流出する虞があるので、流出した土壌が屋上の排水溝や屋根の雨樋などに堆積しないようにする対策が必要となる。また、土壌を植栽基材とすると、植栽した植物が生育し易く、手入れなどの維持管理費がかかる問題があった。
【０００４】
そこで、本発明は斯かる実情に鑑み、施工性、及び屋上や屋根の周辺設備の保全に優れた緑化ユニットを提供しようとするものである。
【課題を解決するための手段】
【０００５】
請求項１の発明は、緑化対象面上に設置するマット状の無土壌植栽基材を備え、当該無土壌植栽基材の上面に複数の貫通孔を形成した保護板材を配設すると共に、前記無土壌植栽基材の下面にベース板材を配設し、スペーサ部材を介して前記保護板材と前記ベース板材とを互いに所定間隔をあけて連結した緑化ユニットである。
【０００６】
本発明の緑化ユニットは土壌を植栽基材としていないため軽量なものとすることができる。これにより、容易に運搬することができ、緑化ユニットを緑化対象面に設置する労力や時間を軽減することができる。また、設置後も、緑化ユニットを簡単に移動させることができ、容易に緑化ユニットの配置を変更することができる。さらに、緑化ユニットを傾斜した屋根等に設置しても、従来のように土壌が流出することもない。
【０００７】
保護板材には複数の貫通孔が形成されているので、植物を保護板材の貫通孔を通して無土壌植栽基材に活着させることができる。また、土壌を植栽基材としていないので、植栽した植物の生育がある程度抑制されて、維持管理が容易となる。
【０００８】
保護板材はスペーサ部材で支持されているため、保護板材上を安定して歩くことができる。また、無土壌植栽基材を直接踏みつけないので、踏み圧によって無土壌植栽基材が破損するのを防止することができる。なお、緑化ユニット上を歩行する以外に、車椅子等で通過する場合も同様である。
【０００９】
請求項２の発明は、請求項１に記載の緑化ユニットにおいて、前記ベース板材の上面に
、複数の凹部を形成したものである。
【００１０】
降雨などによる水をベース板材の凹部に貯水することができる。これにより、緑化ユニットの保水性を一層向上させることができ、無土壌植栽基材に植栽した植物に、十分な水分を供給することができる。
【００１１】
請求項３の発明は、請求項１又は２に記載の緑化ユニットにおいて、前記スペーサ部材は複数本の棒状部材から成り、前記スペーサ部材は複数本の棒状部材から成り、前記保護板材に形成した複数の第一差込孔に、前記各棒状部材の一端を挿嵌すると共に、前記ベース板材に形成した複数の第二差込孔に、前記各棒状部材の他端を挿嵌して、前記保護板材と前記ベース板材とを互いに所定間隔をあけて連結したものである。
【００１２】
簡易な構成にて保護板材とベース板材とを互いに所定間隔をあけて連結することができ、組立性が向上する。
【００１３】
請求項４の発明は、請求項３に記載の緑化ユニットにおいて、前記棒状部材が前記無土壌植栽基材を貫通するように構成したものである。
【００１４】
棒状部材によって無土壌植栽基材を確実に保持することができ、保護板材とベース板材との間から無土壌植栽基材が脱落するのを防止することができる。
【００１５】
請求項５の発明は、請求項３又は４に記載の緑化用ユニットにおいて、前記棒状部材を前記保護板材と前記ベース板材のそれぞれの周縁部にのみ配設したものである。
【００１６】
これにより、配設する棒状部材の個数を削減することができ、製造コストの低減を図れると共に、組立作業効率が飛躍的に向上する。
【００１７】
請求項６の発明は、請求項１から５のいずれか１項に記載の緑化用ユニットにおいて、前記保護板材の複数の貫通孔をそれぞれ六角形に形成すると共に、各貫通孔を蜂の巣状に配設したものである。
【００１８】
これにより、貫通孔を保護板材に効率良く形成することができ、植物の活着面積を広く確保することが可能となる。
【００１９】
請求項７の発明は、請求項１から６のいずれか１項に記載の緑化ユニットにおいて、前記無土壌植栽基材は、スポンジ又は不織布から成るものである。
【００２０】
これにより、無土壌植栽基材を軽量かつ保水性を有するものとすることができる。
【００２１】
請求項８の発明は、請求項１から６のいずれか１項に記載の緑化用ユニットにおいて、前記無土壌植栽基材をウレタンフォームで構成したものである。
【００２２】
これにより、無土壌植栽基材を保水性に優れたものにすることができる。このため、無土壌植栽基材への給水頻度を削減することができ、給水のための労力の軽減や灌水設備の維持管理費の低減等を図ることができる。
【発明の効果】
【００２３】
本発明によれば、植生基材として土壌を使用しないので、緑化ユニットの設置作業及び設置後の維持管理が容易となる。また、従来の緑化ユニットの設置しにくい場所（例えば、傾斜面）にも、本発明の緑化ユニットを設置することができ、緑化可能な範囲を拡大さ
せることができる。
【発明を実施するための最良の形態】
【００２４】
以下、本発明の実施の一形態を添付の図面を参照して説明する。
図１は本発明の緑化ユニットの側面図、図２はその平面図である。また、図３は図２
のＡ−Ａ断面図である。図１に示すように、本発明の緑化ユニットＵは、無土壌植栽基材１と、保護板材２と、ベース板材３と、スペーサ部材４とから構成されている。
【００２５】
無土壌植栽基材１は、側面視において扁平状、平面視において正方形に形成されたマット状の部材である。無土壌植栽基材１の素材としては、軽量でかつ保水性を有するものが好ましく、例えば、スポンジや不織布等を適用することができる。さらに、無土壌植栽基材１を、軽量でかつ保水性に優れたウレタンフォームで構成することが好ましい。
【００２６】
保護板材２は、無土壌植栽基材１の一面（図１において上面）に配設され、平面視において無土壌植栽基材１よりも幾分か大きい正方形に形成されている。図２に示すように、保護板材２には、その全面に渡って、多数（複数）の貫通孔５が形成されている。この実施形態では、貫通孔５は、八角形の貫通孔５ａと、八角形の貫通孔５ａ相互間に配置された菱形（又は正方形）の貫通孔５ｂから成っている。なお、貫通孔５の形状は、八角形又は菱形に限定されない。
【００２７】
ベース板材３は、無土壌植栽基材１の上記保護板材２側と反対側の面（図１において下面）に配設されている。図４に示すように、ベース板材３は、平面視において、保護板材２と同サイズの正方形に形成されている。ベース板材３の無土壌植栽基材１と接する面（図３において上面）には、多数（複数）の貯水用の凹部６が互いに等間隔に形成されている。また、保護板材２とベース板材３の素材としては、軽量でかつ強度の高い素材が好ましい。この実施形態では、保護板材２及びベース板材３の素材にＡＢＳ樹脂を適用している。ただし、保護板材２とベース板材３は、それ以外の軽量でかつ強度の高い素材の中から任意に選択して適用可能である。
【００２８】
スペーサ部材４は、多数（複数）の棒状部材から成り、保護板材２とベース板材３との間に連結されている。詳しくは、保護板材２に、スペーサ部材４の一端を挿嵌するための第一差込孔７が多数（複数）形成され、一方、ベース板材３には、スペーサ部材４の他端を挿嵌するための第二差込孔８が多数（複数）形成されている。そして、これら第一差込孔７と第二差込孔８にスペーサ部材４の両端を挿嵌することで、保護板材２とベース板材３は互いに所定間隔をあけて平行に配設される。また、図２と図４に示すように、第一差込孔７と第二差込孔８は、保護板材２とベース板材３の全面に渡って配設されている。つまり、保護板材２とベース板材３との間に無土壌植栽基材１が介在する箇所においては、スペーサ部材４は無土壌植栽基材１を貫通している。
【００２９】
図５は、本発明の緑化ユニットＵを緑化対象面９上に設置した状態を示している。同図に示す実施形態において、緑化対象面９は平坦かつ水平に配設された屋上面や地面等である。図５に示すように、緑化対象面９に緑化ユニットＵを、保護板材２が上側、ベース板材３が下側になるように載置する。緑化対象面９の広さ等に応じて、複数の緑化ユニットＵを互いに隣接させて配設してもよい。本発明の緑化ユニットＵは軽量であるので、その設置作業、及び設置後の配置変更作業も容易に行うことができる。
【００３０】
緑化ユニットＵの上面には、植物１０が植栽される。この実施形態では、植栽する植物１０は、マット化された切り芝である。切り芝を緑化ユニットＵの上面に配置すると、切り芝の根が保護板材２に形成された多数の貫通孔５を通して無土壌植栽基材１に活着することができる。
【００３１】
図６は、緑化ユニットＵを他の緑化対象面９に設置した状態を示す。図７は図６の側面図である。この実施形態では、緑化対象面９は、山部と谷部を交互に形成した折版屋根である。図６及び図７に示すように、緑化ユニットＵは折版屋根９に取り付けられた支持部材１１の上に載置されている。支持部材１１は、折版屋根９の山部の稜線に対して直交方向に配設された長手状の複数本の金属製フレーム材１１ａと、フレーム材１１ａ相互間に架け渡された金網１１ｂとから成る。図７に示すように、各フレーム材１１ａは、折版屋根９の山部に取り付けた固定金具１２にて固定されている。そして、金網１１ｂの上に、緑化ユニットＵを、保護板材２が上側、ベース板材３が下側になるように載置する。
【００３２】
なお、緑化対象面が傾斜した面であっても、緑化ユニットを緑化対象面に固定する治具があれば設置することが可能である。上述の実施形態では、スペーサ部材４が無土壌植栽基材１を貫通して配設されているので、緑化ユニットを傾斜した面に設置しても、保護板材２とベース板材３との間から無土壌植栽基材１が脱落するのを防止することができる。また、本発明の緑化ユニットは、土壌を構成要素としていないため、斜めに設置しても土壌が流出する虞もない。
【００３３】
図８及び図９に本発明の他の実施形態を示す。図８は本発明の他の実施形態に係る緑化ユニットの平面図、図９は図８のＢ−Ｂ断面図である。図８及び図９に示すように、この実施形態に係る緑化ユニットＵも、上記実施形態と同様に、マット状の無土壌植栽基材１と、多数の貫通孔５を形成した保護板材２と、多数の貯水用の凹部６を形成したベース板材３と、棒状部材から成るスペーサ部材４によって構成されている。
【００３４】
ただし、この実施形態に係る緑化用ユニットＵは、保護板材２に形成した貫通孔５の形状において、上記実施形態と異なる。具体的には、図８に示すように、複数の貫通孔５はそれぞれ六角形に形成され、各貫通孔５は蜂の巣状に配設されている。
【００３５】
また、この実施形態に係る緑化用ユニットＵは、上記実施形態と比べて、スペーサ部材４の配設の仕方が異なる。図８及び図９に示すように、スペーサ部材４は、保護板材２及びベース板材３のそれぞれの周縁部にのみ配設されている。従って、スペーサ部材４の一端を挿嵌するための第一差込孔７及び第二差込孔８も、保護板材２及びベース板材３のそれぞれの周縁部にのみ形成されている。
【００３６】
なお、図８及び図９に示す緑化用ユニットＵにおいて、その他の構成は上記実施形態の構成と同様であるので説明を省略する。また、図８及び図９に示す緑化用ユニットＵは、上記図５〜図７において説明した設置の仕方と同様にして緑化対象面へ設置することが可能である。
【００３７】
上述したように、土壌を構成要素とした従来の緑化ユニットは、屋根への荷重負荷が大きく、流出した土壌が屋根の雨樋等に堆積するといった問題があり、施工性、屋上や屋根の周辺設備の保全等の点において好ましくない。そこで、植栽基材として土壌を用いず、スポンジや不織布等を適用すれば、それらの問題を解消することが可能である。しかしながら、スポンジや不織布等から成る無土壌植栽基材をそのまま設置すると、その上を歩行する場合、無土壌植栽基材が収縮するため歩きにくい問題がある。また、無土壌植栽基材が踏み圧に耐えられず破損する虞もある。そのため、本発明は、スペーサ部材４によって支持された保護板材２を無土壌植栽基材１の上面に配設している。これにより、保護板材２上を安定して歩くことができ、踏み圧による無土壌植栽基材１の破損を防止することが可能である。このため、保護板材２、ベース板材３及びスペーサ部材４は、歩行する際の踏み圧や、車椅子等で通過するときの荷重に耐え得る強度に設定されている。
【００３８】
また、降雨や、散水装置によって緑化ユニットにまかれた水は、無土壌植栽基材１に吸収され、一部はベース板材３の凹部６に貯水される。これにより、緑化ユニットＵの保水性を一層向上させることができ、無土壌植栽基材１に植栽した植物に、十分な水分を供給することができる。また、植栽する植物の必要水分量や、無土壌植栽基材１の保水力等に応じて、ベース板材３の凹部６の個数（密度）や深さ等は変更可能である。あるいは、ベース板材３に凹部６を設けなくてもよい。
【００３９】
また、図８に示す実施形態のように、保護板材２に形成した貫通孔５を六角形に形成すると共に、各貫通孔５を蜂の巣状に配設することによって、貫通孔５を保護板材２に効率良く形成することができる。すなわち、図８に示す実施形態は、図２に示す実施形態に比べて、保護板材２の表面に占める貫通孔５の合計面積の割合を大きくすることができる。このように、貫通孔５の合計面積の割合を大きくすることによって、植物の活着面積を広く確保することが可能である。
【００４０】
また、図８に示す実施形態は、スペーサ部材４を保護板材２及びベース板材３のそれぞれの周縁部にのみ配設していることにより、図２に示す実施形態に比べ、配設するスペーサ部材４の個数を削減することができる。これにより、製造コストの低減を図れると共に、組立作業効率が飛躍的に向上させることが可能となる。
【００４１】
また、無土壌植栽基材１は保水性を有するものが好ましい。特に、無土壌植栽基材１の素材として保水性に優れたウレタンフォームを適用することによって、無土壌植栽基材１への給水頻度を削減することができる。これにより、給水のための労力の軽減を図ることが可能である。また、無土壌植栽基材１へ給水を行う灌水設備を設置している場合は、その灌水設備の維持管理費の低減を図ることができる。
【００４２】
以上、本発明に係る緑化ユニットについて説明したが、本発明は上述の実施形態に限定されるものではなく、本発明の要旨を逸脱しない範囲で、種々の変更を加え得ることは勿論である。
【図面の簡単な説明】
【００４３】
【図１】本発明の一実施形態に係る緑化ユニットの側面図である。
【図２】前記緑化ユニットの平面図である。
【図３】図２のＡ−Ａ断面図である。
【図４】前記緑化ユニットのベース板材の平面図である。
【図５】前記緑化ユニットを屋上等に設置した状態を示す図である。
【図６】前記緑化ユニットを折版屋根に設置した状態を示す斜視図である。
【図７】図６の側面図である。
【図８】本発明の他の実施形態に係る緑化用ユニットの平面図である。
【図９】図８のＢ−Ｂ断面図である。
【符号の説明】
【００４４】
１  無土壌植栽基材
２  保護板材
３  ベース板材
４  スペーサ部材
５  貫通孔
６  凹部
７  第一差込孔
８  第二差込孔
９  緑化対象面
Ｕ  緑化ユニット
【図１】
2009077706.tif 000003
【図２】
2009077706.tif 000004
【図３】
2009077706.tif 000005
【図４】
2009077706.tif 000006
【図５】
2009077706.tif 000007
【図６】
2009077706.tif 000008
【図７】
2009077706.tif 000009
【図８】
2009077706.tif 000010
【図９】
2009077706.tif 000011